(57)【要約】【課題】ユーザが望む映像のハイライトシーンに適切に再生の位置をマーキングすること。【解決手段】映像及び音声の記録が可能であり、記録した映像及び音声の再生が可能な記録再生装置において、映像信号の明るさレベルを検出する明るさレベル検出部２１と、音声信号の音声レベルを検出する音声レベル検出部１９と、映像信号の明るさレベルのマーキング条件、及び／又は音声信号の音声レベルのマーキング条件を指定する入力部２５と、この入力部２５により指定されたマーキング条件を、検出部１９、２１の検出結果が満たす場合に、再生の位置をマーキングする制御をする制御部２３と、制御部２３の指令の下マーキング信号を出力するマーキング設定部２７と、マーキング信号に基づいてマーキングを記録媒体３１に記録する記録部１５とを備えた。【選択図】　　　図１
2004120553.tif 000002
【特許請求の範囲】
【請求項１】
映像及び音声の記録が可能であり、記録した映像及び音声の再生が可能な記録再生装置において、
異なる種類のマーキング条件を指定する指定手段と、
この指定手段により指定されたマーキング条件に一致するシーンに再生の位置をマーキングするマーキング手段とを備えたことを特徴とする記録再生装置。
【請求項２】
請求項１に記載の記録再生装置において、
前記異なる種類のマーキング条件は、映像信号の明るさレベルのマーキング条件と、音声信号の音声レベルのマーキング条件とであることを特徴とする記録再生装置。
【請求項３】
映像及び音声の記録が可能であり、記録した映像及び音声の再生が可能な記録再生装置において、
映像信号の明るさレベルを検出する明るさレベル検出手段と、
音声信号の音声レベルを検出する音声レベル検出手段と、
映像信号の明るさレベルのマーキング条件、及び／又は音声信号の音声レベルのマーキング条件を指定する指定手段と、
この指定手段により指定されたマーキング条件を、前記検出手段の検出結果が満たす場合に、再生の位置をマーキングするマーキング手段とを備えたことを特徴とする記録再生装置。
【請求項４】
請求項３に記載の記録再生装置において、
映像信号の明るさレベルのマーキング条件、及び／又は音声信号の音声レベルのマーキング条件を記憶する記憶手段を備え、
前記指定手段は、前記記憶手段に記憶されているマーキング条件を指定することを特徴とする記録再生装置。
【請求項５】
請求項４に記載の記録再生装置において、
前記記憶手段は、映像信号の明るさレベルのマーキング条件、及び／又は音声信号の音声レベルのマーキング条件を映像のジャンル毎に記憶し、
前記指定手段は、前記記憶手段に記憶されている映像のジャンルを指定することを特徴とする記録再生装置。
【請求項６】
請求項１乃至５のいずれか一項に記載の記録再生装置において、
記録した映像及び音声を再生する場合、順次マーキングした位置から第１所定時間再生するようにしたことを特徴とする記録再生装置。
【請求項７】
請求項１乃至５のいずれか一項に記載の記録再生装置において、
記録した映像及び音声を再生する場合、順次マーキングした位置から第１所定時間再生するマーキングシーン再生モードと、通常の再生を行う通常再生モードとを切り替える切替手段を備えたことを特徴とする記録再生装置。
【請求項８】
請求項６又は７に記載の記録再生装置において、
前記マーキング手段によりマーキングされた場合、このマーキングされた時から前記第１所定時間以上のマーキングをマスクするマーキングマスク時間を有することを特徴とする記録再生装置。
【請求項９】
請求項８に記載の記録再生装置において、
前記マーキング手段は、マーキングをしてから前記マーキングマスク時間よりも長い第２所定時間に達した場合、自動的にマーキングすることを特徴とする記録再生装置。
【請求項１０】
映像及び音声の記録が可能な記録装置において、
異なる種類のマーキング条件を指定する指定手段と、
この指定手段により指定されたマーキング条件に一致するシーンにマーキングするマーキング手段とを備えたことを特徴とする記録装置。
【請求項１１】
請求項１０に記載の記録装置において、
前記異なる種類のマーキング条件は、映像信号の明るさレベルのマーキング条件と、音声信号の音声レベルのマーキング条件とであることを特徴とする記録装置。
【請求項１２】
映像及び音声の記録が可能な記録装置において、
映像信号の明るさレベルを検出する明るさレベル検出手段と、
音声信号の音声レベルを検出する音声レベル検出手段と、
映像信号の明るさレベルのマーキング条件、及び／又は音声信号の音声レベルのマーキング条件を指定する指定手段と、
この指定手段により指定されたマーキング条件を、前記検出手段の検出結果が満たす場合に、再生の位置をマーキングするマーキング手段とを備えたことを特徴とする記録装置。
【請求項１３】
請求項１２に記載の記録装置において、
映像信号の明るさレベルのマーキング条件、及び／又は音声信号の音声レベルのマーキング条件を記憶する記憶手段を備え、
前記指定手段は、前記記憶手段に記憶されているマーキング条件を指定することを特徴とする記録装置。
【請求項１４】
請求項１３に記載の記録装置において、
前記記憶手段は、映像信号の明るさレベルのマーキング条件、及び／又は音声信号の音声レベルのマーキング条件を映像のジャンル毎に記憶し、
前記指定手段は、前記記憶手段に記憶されている映像のジャンルを指定することを特徴とする記録装置。
【請求項１５】
請求項１０乃至１４のいずれか一項に記載の記録装置において、
前記マーキング手段によりマーキングされた場合、このマーキングされた時からマーキングをマスクするマーキングマスク時間を有することを特徴とする記録装置。
【請求項１６】
請求項１５に記載の記録装置において、
前記マーキング手段は、マーキングをしてから前記マーキングマスク時間よりも長い所定時間に達した場合、自動的にマーキングすることを特徴とする記録装置。
【請求項１７】
映像及び音声の記録が可能であり、記録した映像及び音声の再生が可能な記録再生装置の制御方法において、
映像信号の明るさレベルを検出する明るさレベル検出過程と、
音声信号の音声レベルを検出する音声レベル検出過程と、
映像信号の明るさレベルのマーキング条件、及び／又は音声信号の音声レベルのマーキング条件が指定され、指定されたマーキング条件を前記検出過程の検出結果が満たす場合に、再生の位置をマーキングするマーキング過程とを備えたことを特徴とする記録再生装置の制御方法。
【請求項１８】
映像及び音声の記録が可能な記録再生装置の制御方法において、
映像信号の明るさレベルを検出する明るさレベル検出過程と、
音声信号の音声レベルを検出する音声レベル検出過程と、
映像信号の明るさレベルのマーキング条件、及び／又は音声信号の音声レベルのマーキング条件が指定され、指定されたマーキング条件を前記検出過程の検出結果が満たす場合に、再生の位置をマーキングするマーキング過程とを備えたことを特徴とする記録装置の制御方法。
【請求項１９】
映像及び音声の記録が可能であり、記録した映像及び音声の再生が可能な記録再生装置をコンピュータにより制御するための制御プログラムにおいて、
映像信号の明るさレベルのマーキング条件、及び／又は音声信号の音声レベルのマーキング条件が指定され、検出された映像信号の明るさレベル、及び／又は音声信号の音声レベルの検出結果が、指定されたマーキング条件を満たす場合に、再生の位置をマーキングさせることを特徴とする制御プログラム。
【請求項２０】
映像及び音声の記録が可能な記録装置をコンピュータにより制御するための制御プログラムにおいて、
映像信号の明るさレベルのマーキング条件、及び／又は音声信号の音声レベルのマーキング条件が指定され、検出された映像信号の明るさレベル、及び／又は音声信号の音声レベルの検出結果が、指定されたマーキング条件を満たす場合に、再生の位置をマーキングさせることを特徴とする制御プログラム。
【請求項２１】
請求項１９又は２０に記載の制御プログラムを記録したことを特徴とするコンピュータ読取可能な記録媒体。
【発明の詳細な説明】
【０００１】
【発明の属する技術分野】
本発明は、映像の録画録音を行う際に、ハイライトシーンを抽出できるようにマーキングする記録再生装置、記録装置、それらの制御方法、制御プログラム及び記録媒体に関する。
【０００２】
【従来の技術】
一般に、映像及び音声の記録が可能である記録装置としての機能と、記録した映像及び音声の再生が可能である再生装置としての機能とを有する記録再生装置が知られている。例えば、磁気テープやハードディスク等の記録媒体に映像及び音声を記録する記録再生装置が知られている。
【０００３】
従来、この種の記録再生装置において、記録する映像信号の変化量が大きいところのシーンにマーキングし、映像のシーン検索を容易にしたものがある（例えば、特許文献１参照。）。
【０００４】
【特許文献１】
特開平８−１０１８４５号公報
【０００５】
【発明が解決しようとする課題】
しかしながら、上記の記録再生装置のように、映像信号のみでマーキングした場合、必ずしもユーザが望む映像のハイライトシーンに適切にマーキングされるとは限らない。また、映像のジャンルによっては、映像のハイライトシーンが異なるため、マーキングする条件を固定した場合、必ずしもユーザが望む映像のハイライトシーンに適切にマーキングされるとは限らない。
【０００６】
本発明の目的は、上述の事情を考慮してなされたものであり、ユーザが望む映像のハイライトシーンに適切に再生の位置をマーキングする記録再生装置、記録装置、それらの制御方法、制御プログラム及び記録媒体を提供することにある。
【０００７】
【課題を解決するための手段】
上記課題を解決するため、映像及び音声の記録が可能であり、記録した映像及び音声の再生が可能な記録再生装置において、異なる種類のマーキング条件を指定する指定手段と、この指定手段により指定されたマーキング条件に一致するシーンに再生の位置をマーキングするマーキング手段とを備えたことをを特徴としている。
【０００８】
この場合において、前記異なる種類のマーキング条件は、映像信号の明るさレベルのマーキング条件と、音声信号の音声レベルのマーキング条件とであってもよい。
【０００９】
また、映像及び音声の記録が可能であり、記録した映像及び音声の再生が可能な記録再生装置において、映像信号の明るさレベルを検出する明るさレベル検出手段と、音声信号の音声レベルを検出する音声レベル検出手段と、映像信号の明るさレベルのマーキング条件、及び／又は音声信号の音声レベルのマーキング条件を指定する指定手段と、この指定手段により指定されたマーキング条件を、前記検出手段の検出結果が満たす場合に、再生の位置をマーキングするマーキング手段とを備えたことを特徴としている。
【００１０】
この場合において、映像信号の明るさレベルのマーキング条件、及び／又は音声信号の音声レベルのマーキング条件を記憶する記憶手段を備え、前記指定手段は、前記記憶手段に記憶されているマーキング条件を指定するようにしてもよい。
【００１１】
また、前記記憶手段は、映像信号の明るさレベルのマーキング条件、及び／又は音声信号の音声レベルのマーキング条件を映像のジャンル毎に記憶し、前記指定手段は、前記記憶手段に記憶されている映像のジャンルを指定するようにしてもよい。
【００１２】
さらに、記録した映像及び音声を再生する場合、順次マーキングした位置から第１所定時間再生するようにしてもよい。
【００１３】
さらにまた、記録した映像及び音声を再生する場合、順次マーキングした位置から第１所定時間再生するマーキングシーン再生モードと、通常の再生を行う通常再生モードとを切り替える切替手段を備えてもよい。
【００１４】
また、前記マーキング手段によりマーキングされた場合、このマーキングされた時から前記第１所定時間以上のマーキングをマスクするマーキングマスク時間を有してもよい。
【００１５】
さらに、前記マーキング手段は、マーキングをしてから前記マーキングマスク時間よりも長い第２所定時間に達した場合、自動的にマーキングするようにしてもよい。
【００１６】
また、映像及び音声の記録が可能な記録装置において、異なる種類のマーキング条件を指定する指定手段と、この指定手段により指定されたマーキング条件に一致するシーンにマーキングするマーキング手段とを備えることを特徴としている。
【００１７】
この場合において、前記異なる種類のマーキング条件は、映像信号の明るさレベルのマーキング条件と、音声信号の音声レベルのマーキング条件とであってもよい。
【００１８】
また、映像信号の明るさレベルを検出する明るさレベル検出手段と、音声信号の音声レベルを検出する音声レベル検出手段と、映像信号の明るさレベルのマーキング条件、及び／又は音声信号の音声レベルのマーキング条件を指定する指定手段と、この指定手段により指定されたマーキング条件を、前記検出手段の検出結果が満たす場合に、再生の位置をマーキングするマーキング手段とを備えてもよい。
【００１９】
さらに、映像信号の明るさレベルのマーキング条件、及び／又は音声信号の音声レベルのマーキング条件を記憶する記憶手段を備え、前記指定手段は、前記記憶手段に記憶されているマーキング条件を指定するようにしてもよい。
【００２０】
さらにまた、前記記憶手段は、映像信号の明るさレベルのマーキング条件、及び／又は音声信号の音声レベルのマーキング条件を映像のジャンル毎に記憶し、前記指定手段は、前記記憶手段に記憶されている映像のジャンルを指定するようにしてもよい。
【００２１】
また、前記マーキング手段によりマーキングされた場合、このマーキングされた時からマーキングをマスクするマーキングマスク時間を有してもよい。
【００２２】
さらに、前記マーキング手段は、マーキングをしてから前記マーキングマスク時間よりも長い所定時間に達した場合、自動的にマーキングするようにしてもよい。
【００２３】
また、映像及び音声の記録が可能であり、記録した映像及び音声の再生が可能な記録再生装置の制御方法において、映像信号の明るさレベルを検出する明るさレベル検出過程と、音声信号の音声レベルを検出する音声レベル検出過程と、映像信号の明るさレベルのマーキング条件、及び／又は音声信号の音声レベルのマーキング条件が指定され、指定されたマーキング条件を前記検出過程の検出結果が満たす場合に、再生の位置をマーキングするマーキング過程とを備えたことを特徴としている。
【００２４】
また、映像及び音声の記録が可能な記録再生装置の制御方法において、映像信号の明るさレベルを検出する明るさレベル検出過程と、音声信号の音声レベルを検出する音声レベル検出過程と、映像信号の明るさレベルのマーキング条件、及び／又は音声信号の音声レベルのマーキング条件が指定され、指定されたマーキング条件を前記検出過程の検出結果が満たす場合に、再生の位置をマーキングするマーキング過程とを備えたことを特徴としている。
【００２５】
また、映像及び音声の記録が可能であり、記録した映像及び音声の再生が可能な記録再生装置をコンピュータにより制御するための制御プログラムにおいて、映像信号の明るさレベルのマーキング条件、及び／又は音声信号の音声レベルのマーキング条件が指定され、検出された映像信号の明るさレベル、及び／又は音声信号の音声レベルの検出結果が、指定されたマーキング条件を満たす場合に、再生の位置をマーキングさせることを特徴としている。
【００２６】
また、映像及び音声の記録が可能な記録装置をコンピュータにより制御するための制御プログラムにおいて、映像信号の明るさレベルのマーキング条件、及び／又は音声信号の音声レベルのマーキング条件が指定され、検出された映像信号の明るさレベル、及び／又は音声信号の音声レベルの検出結果が、指定されたマーキング条件を満たす場合に、再生の位置をマーキングさせることを特徴としている。
【００２７】
さらに上記各制御プログラムをコンピュータ読取可能な記録媒体に記録するようにしてもよい。
【００２８】
【発明の実施の形態】
以下、本発明の実施の形態を、図面に基づき説明する。
【００２９】
図１は、本発明に係る記録再生装置の一実施の形態を示すブロック図である。
【００３０】
図１中、１は、記録再生装置である。記録再生装置１には、アンテナ３及び映像を出力するモニタ部５が接続されている。このモニタ部５には、音声を出力するスピーカ７が内蔵されている。つまり、モニタ部５は、受信又は再生した映像及び音声を出力するものである。この記録再生装置１は、放送されている映像信号及び音声信号を受信して映像信号及び音声信号を記録する機能と、記録した映像信号及び音声信号を再生する機能とを有している。
【００３１】
記録再生装置１は、映像又は音声を記録するとき、ハイライトシーン（見せ場）を検出して再生の位置をマーキングする手段を備えている。
【００３２】
具体的に、記録再生装置１は、チューナー回路１１と、信号処理回路１３と、記録部１５と、再生部１７と、音声レベル検出部１９と、明るさレベル検出部２１と、制御部２３と、入力部２５と、マーキング設定部２７と、データベース部２９を格納した書き換え可能な不揮発性メモリであるＥＥＰＲＯＭ３０とを備えている。
【００３３】
チューナー回路１１は、アンテナ３を介して放送されている電波を受信し、映像信号及び音声信号を信号処理回路１３に出力する。
【００３４】
信号処理回路１３は、受信或いは再生した映像信号及び音声信号を処理してモニタ部５に出力するとともに、受信した映像信号及び音声信号を記録部１５に出力し、受信又は再生した音声信号を音声レベル検出部１９に出力し、受信又は再生した映像信号を明るさレベル検出部２１に出力する。
【００３５】
記録部１５は、受信した映像信号及び音声信号を記録するときに、受信した映像信号及び音声信号を記録媒体３１（例えば、磁気テープやハードディスク、リムーバブル記録媒体等）に記録する。
【００３６】
再生部１７は、記録媒体３１に記録されているデータを再生するときに、記録媒体３１に記録されているデータを読み込みこんで映像信号及び音声信号を信号処理回路１３に出力する。また、再生部１７は、順次マーキングした位置から第１所定時間再生するマーキングシーン再生モードと、通常の再生を行う通常再生モードとを備えており、いずれかのモードに設定されて再生を行う。
【００３７】
音声レベル検出部１９は、受信又は再生した音声信号の音声レベルを検出する。明るさレベル検出部２１は、受信又は再生した映像信号の明るさレベルを検出する。明るさレベル検出部２１は、例えば、１画面当りの映像信号の平均の明るさレベルを検出する。
【００３８】
データベース部２９は、スポーツやドラマ、映画、音楽、ニュース等の映像のジャンル毎に、映像及び音声を記録する記録媒体３１に再生の位置をマーキングするときの映像信号の明るさレベルのマーキング条件、及び／又は音声信号の音声レベルのマーキング条件を記憶している。
【００３９】
入力部２５は、ユーザによって操作された場合に、操作に応じた信号を制御部２３に出力するものである。この入力部２５は、再生の位置をマーキングする場合、異なる種類のマーキング条件（例えば、映像信号の明るさレベルのマーキング条件及び音声信号の音声レベルのマーキング条件）を指定することが可能である。
【００４０】
具体的に、入力部２５は、再生の位置をマーキングするときの映像信号の明るさレベルのマーキング条件、及び／又は音声信号の音声レベルのマーキング条件を指定することができるように構成されている。例えば、入力部２５は、図示しないスイッチ又はタッチパネルディスプレイを有しており、スイッチ又はタッチパネルディスプレイが操作されることよってマーキング条件の指定を行う。
【００４１】
より具体的に、入力部２５は、映像のジャンルを指定することでマーキング条件を指定している。例えば、スイッチ又はタッチパネルディスプレイが操作されることよって映像のジャンルが指定される。
【００４２】
つまり、入力部２５は、制御部２３を介してデータベース部２９の映像のジャンルに対応するマーキング条件を指定している。
【００４３】
また、入力部２５は、記録した映像及び音声を再生する場合、順次マーキングした位置から第１所定時間再生するマーキングシーン再生モードと、通常の再生を行う通常再生モードとを切り替える機能を備えている。これらモードの切り替えは、ユーザが入力部２５を操作することによって行うことができる。
【００４４】
制御部２３は、大別すると、ＣＰＵ２３ａと、ＲＡＭ２３ｂと、ＲＯＭ２３ｃとを備えている。ＣＰＵ２３ａは、ＲＯＭ２３ｃ内に格納された制御プログラムに基づいて制御部２３全体、ひいては、記録再生装置１全体を制御する。ＲＡＭ２３ｂは、映像信号のレベルのデータ、音声信号のレベルのデータ等のデータを一時的に格納し、作業領域として用いられる。ＲＯＭ２３ｃは、ＣＰＵ２３ａ、ひいては、記録再生装置１全体を制御するための制御プログラムをあらかじめ格納している。
【００４５】
制御部２３は、入力部２５により指定されたマーキング条件に一致するシーンに再生の位置をマーキングする制御を行う。つまり、制御部２３は、データベース部２９を参照し、明るさレベル検出部２１及び／又は音声レベル検出部１９の検出結果が、指定された映像のジャンルに対応するマーキング条件を満たす場合に、再生の位置をマーキングするように制御する。
【００４６】
具体的に、制御部２３は、入力部２５により指定された映像のジャンルに対応するマーキング条件をデータベース部２９から読み出す。そして、制御部２３は、この読み出したマーキング条件をＲＡＭ２３ｂに格納する。
【００４７】
制御部２３は、明るさレベル検出部１９及び音声レベル検出部２１の検出結果を所定のサンプリング周期で入力する。そして、制御部２３は、明るさレベル検出部１９及び音声レベル検出部２１の検出結果をＲＡＭ２３ｂに格納する。次いで、明るさレベル検出部１９及び／又は音声レベル検出部２１の検出結果が、マーキング条件を満たす場合に、再生の位置を記録媒体３１にマーキングするように、マーキング設定部２７に指示を送る。
【００４８】
制御部２３がマーキングの指示を送信した場合、（つまり、マーキングをした場合）、マーキングをした時点から第１所定時間以上のマーキングをマスクするマーキングマスク時間を設けている。つまり、マーキングマスク時間中は、制御部２３はマーキング条件を満たしている場合であってもマーキングの指示をマーキング設定部２７に送らない制御をする。これによって、短時間内に複数マーキングするのを防止している。
【００４９】
マーキング設定部２７は、制御部２３のマーキングの指示の下、記録部１５にマーキングの信号を出力し、このマーキングの信号を入力した記録部１５は、再生の位置を記録媒体３１にマーキングする。
【００５０】
尚、再生の位置をマーキングするとは、再生するときにマーキング条件を満たしている位置を検出できるようにマーキングすることである。より具体的には、再生部１７が記録媒体３１に記録されている映像及び音声をマーキングシーン再生モードにて再生するときに、再生部１７が再生する位置を検出できるように、制御部２３の指示の下、記録部１５が記録媒体３１にマーキングすることである。
【００５１】
図２は、データベース部２９に記憶されている映像のジャンルに対応するマーキング条件を示す図である。
【００５２】
音声信号の音声レベルのマーキング条件としては、音声レベル検出部１９にて検出された音声信号の音声レベルが第１所定音声レベルよりも大きい場合にマーキングするマーキング条件と、音声レベル検出部１９にて検出された音声信号の音声レベルが第２所定音声レベルよりも小さい場合にマーキングするマーキング条件と、所定のサンプリング周期で音声信号の音声レベルをサンプリングしたときの音声レベルの変化量（音量変化）が所定音声レベル変化量よりも大きい場合にマーキングするマーキング条件とがある。尚、音声信号の音声レベルのマーキング条件として３通りのマーキング条件としたが、これに限るものではなく、任意に設定することが可能である。
【００５３】
映像信号の明るさレベル２１のマーキング条件としては、明るさレベル検出部２１にて検出された映像信号の明るさレベルが第１所定明るさレベルよりも大きい（明るい）場合にマーキングするマーキング条件と、明るさレベル検出部２１にて検出された映像信号の明るさレベルが第２所定明るさレベルよりも小さい（暗い）場合にマーキングするマーキング条件と、所定のサンプリング周期で映像信号の明るさレベルをサンプリングしたときの明るさレベルの変化量（明暗差）が所定明るさレベル変化量よりも大きい場合にマーキングするマーキング条件とがある。尚、映像信号の明るさレベルのマーキング条件として３通りのマーキング条件としたが、これに限るものではなく、任意に設定することが可能である。
【００５４】
映像のジャンルは、図２に示すように、例えば、「動きの激しいスポーツ」、「動きの静かなスポーツ」、「動きの激しい映画やドラマ」、「動きの静かな映画やドラマ」、「音楽」、及び「ニュース」の６通りがデータベース部２９に記憶されている。尚、映像のジャンルが６通りとしたが、これに限るものではなく、任意に設定することが可能である。
【００５５】
各映像のジャンルには、映像信号の明るさレベルのマーキング条件、及び／又は音声信号の音声レベルのマーキング条件が対応しており、互いに異なるマーキング条件が対応している。
【００５６】
具体的に、「動きの激しいスポーツ」の映像のジャンルには、映像信号の明るさレベルのマーキング条件、及び音声信号の音声レベルのマーキング条件が対応している。例えば、音声レベル検出部１９にて検出された音声信号の音声レベルが第１所定音声レベルよりも大きい場合、及び明るさレベル検出部２１にて検出された映像信号の明るさレベルが第１所定明るさレベルよりも大きい（明るい）場合にマーキングするマーキング条件が対応している。例えば、録画する映像がサッカーや野球といった動きの激しいスポーツのときに「動きの激しいスポーツ」の映像のジャンルを指定すれば、より効果的にハイライトシーンにマーキングすることができる。
【００５７】
「動きの静かなスポーツ」の映像のジャンルには、映像信号の明るさレベルのマーキング条件、又は音声信号の音声レベルのマーキング条件が対応している。例えば、所定のサンプリング周期で音声信号の音声レベルをサンプリングしたときの音声レベルの変化量（音量変化）が所定音声レベル変化量よりも大きい場合、又は所定のサンプリング周期で映像信号の明るさレベルをサンプリングしたときの明るさレベルの変化量（明暗差）が所定明るさレベル変化量よりも大きい場合にマーキングするマーキング条件が対応している。例えば、録画する映像が相撲等動きの静かなスポーツのときに「動きの静かなスポーツ」の映像のジャンルを指定すれば、より効果的にハイライトシーンにマーキングすることができる。
【００５８】
「動きの激しい映画やドラマ」の映像のジャンルには、映像信号の明るさレベルのマーキング条件、又は音声信号の音声レベルのマーキング条件が対応している。例えば、音声レベル検出部１９にて検出された音声信号の音声レベルが第１所定音声レベルよりも大きい場合、又は所定のサンプリング周期で映像信号の明るさレベルをサンプリングしたときの明るさレベルの変化量（明暗差）が所定明るさレベル変化量よりも大きい場合にマーキングするマーキング条件が対応している。例えば、録画する映像がアクション等の動きの激しい映画やドラマのときに「動きの激しい映画やドラマ」の映像のジャンルを指定すれば、より効果的にハイライトシーンにマーキングすることができる。
【００５９】
「動きの静かな映画やドラマ」の映像のジャンルには、映像信号の明るさレベルのマーキング条件、及び音声信号の音声レベルのマーキング条件が対応している。例えば、音声レベル検出部１９にて検出された音声信号の音声レベルが第２所定音声レベルよりも小さい場合、及び所定のサンプリング周期で映像信号の明るさレベルをサンプリングしたときの明るさレベルの変化量（明暗差）が所定明るさレベル変化量よりも大きい場合にマーキングするマーキング条件が対応している。例えば、録画する映像が動きの静かな映画やドラマのときに「動きの静かな映画やドラマ」の映像のジャンルを指定すれば、より効果的にハイライトシーンにマーキングすることができる。
【００６０】
「音楽」の映像のジャンルには、音声信号の音声レベルのマーキング条件が対応している。例えば、音声レベル検出部１９にて検出された音声信号の音声レベルが第２所定音声レベルよりも小さい場合に対応している。つまり、録画する映像が音楽のときに「音楽」の映像のジャンルを指定すれば、より効果的にハイライトシーンにマーキングすることができる。
【００６１】
「ニュース」の映像のジャンルには、映像信号の明るさレベルのマーキング条件、及び音声信号の音声レベルのマーキング条件が対応している。例えば、所定のサンプリング周期で音声信号の音声レベルをサンプリングしたときの音声レベルの変化量（音量変化）が所定音声レベル変化量よりも大きい場合、及び所定のサンプリング周期で映像信号の明るさレベルをサンプリングしたときの明るさレベルの変化量（明暗差）が所定明るさレベル変化量よりも大きい場合にマーキングするマーキング条件が対応している。
【００６２】
さらに、「ニュース」の映像のジャンルには、マーキングをしてからマーキングマスク時間よりも長い第２所定時間に達した場合、自動的にマーキングする。
【００６３】
つまり、録画する映像がニュースのときに「ニュース」の映像のジャンルを指定すれば、より効果的にハイライトシーンにマーキングすることができる。
【００６４】
即ち、データベース部に映像のジャンルに対応するマーキング条件が記憶されているので、映像のジャンルを指定することにより、映像のジャンルに適したマーキング条件を指定することができるので、より効果的にハイライトシーンにマーキングすることができる。
【００６５】
以下、制御プログラムに基づく制御部２３の録画時におけるマーキング処理の制御動作について図３に示すフローチャートを参照しながら説明する。
【００６６】
まず、制御部２３は、映像信号の明るさレベルと音声信号の音声レベルを抽出する（ステップＳ１）。つまり、制御部２３は、映像信号の明るさレベルと音声信号の音声レベルを所定のサンプリング周期で入力する。
【００６７】
次に、制御部２３は、抽出した映像信号の明るさレベル、及び／又は音声信号の音声レベルが抽出条件を満たしているか否かを判別する（ステップＳ２）。つまり、制御部２３は、入力した映像信号の明るさレベル、及び／又は音声信号の音声レベルが入力部２５により指定した映像のジャンルに対応するマーキング条件を満たしているか否かを判別する（判別手段）。
【００６８】
ステップＳ２の判別において、抽出した映像信号の明るさレベル、及び／又は音声信号の音声レベルが抽出条件を満たしていない場合、即ち、入力した映像信号の明るさレベル、及び／又は音声信号の音声レベルが入力部２５により指定した映像のジャンルに対応するマーキング条件を満たしていない場合（ステップＳ２；Ｎｏ）、ステップＳ１の処理に戻る。
【００６９】
ステップＳ２の判別において、抽出した映像信号の明るさレベル、及び／又は音声信号の音声レベルが抽出条件を満たしている場合、即ち、入力した映像信号の明るさレベル、及び／又は音声信号の音声レベルが入力部２５により指定した映像のジャンルに対応するマーキング条件を満たしている場合、（ステップＳ２；Ｙｅｓ）、制御部２３は、マーキング設定部２７に対してマーキングを挿入する指示を送る（ステップＳ３）。
【００７０】
次に、制御部２３は、録画（及び録音）が終了したか否かを判別する（ステップＳ４）。
【００７１】
ステップＳ４の判別において、録画（及び録音）が終了していないとき（ステップＳ４；Ｎｏ）、ステップＳ１の処理に戻る。
【００７２】
ステップＳ４の判別において、録画（及び録音）が終了したとき（ステップＳ４；Ｙｅｓ）、マーキングの処理が終了する。
【００７３】
図４は、入力部２５（図１）において「動きの激しいスポーツ」の映像のジャンルを指定した場合の記録（録画及び録音）時のマーキング処理の説明図である。（ａ）は、記録（録画及び録音）する映像である。（ｂ）は、音声信号の信号レベル（音量）である。（ｃ）は、映像信号の明るさレベル（明るさ）である。
【００７４】
「動きの激しいスポーツ」の映像のジャンルには、音声レベル検出部１９にて検出された音声信号の音声レベルが第１所定音声レベルＸ１よりも大きい場合、及び明るさレベル検出部２１にて検出された映像信号の明るさレベルが第１所定明るさレベルＹ１よりも大きい（明るい）場合にマーキングするマーキング条件が対応している。
【００７５】
映像シーンＡ１、Ａ２のときは、音量及び明るさが所定レベルＸ１、Ｙ１を超えていないため、記録部１５は、映像及び音声を記録しているが、マーキングは行わない。
【００７６】
映像シーンＡ３のときは、検出点ａ１において音量及び明るさが所定レベルＸ１、Ｙ１よりも大きいため、制御部２３は、マーキング条件を満たしていると判断し、映像及び音声を記録部１５にて記録するとともに、記録部１５にて検出点ａ１の位置を再生時に再生部１７が検出できるようにマーキングを行う。
【００７７】
この映像シーンＡ３をマーキングシーン再生モードにて再生するとき、マーキングした位置（検出点ａ１）から第１所定時間再生されるので、検出点ａ１から第１所定時間以上のマーキングをマスクするマーキングマスク時間を設けるのが好ましい。つまり、このマーキングマスク時間を設けることで、短時間内に複数マーキングされるのを防止することができる。
【００７８】
映像シーンＡ４は、映像シーンＡ３から画面が切り替わった場合であり、マーキングマスク時間以上経過している映像シーンである。映像シーンＡ４のとき、検出点ａ２において、音量及び明るさが所定レベルＸ１、Ｙ１よりも大きいため、制御部２３は、マーキング条件を満たしていると判断し、映像及び音声を記録部１５にて記録するとともに、記録部１５にて検出点ａ２の位置を再生時に再生部１７が検出できるようにマーキングを行う。
【００７９】
映像シーンＡ５は、映像シーンＡ４から画面が切り替わった場合であり、マーキングマスク時間以上経過している映像シーンである。映像シーンＡ５のとき、検出点ａ３において、音量及び明るさが所定レベルＸ１、Ｙ１よりも大きいため、制御部２３は、マーキング条件を満たしていると判断し、映像及び音声を記録部１５にて記録するとともに、記録部１５にて検出点ａ３の位置を再生時に再生部１７が検出できるようにマーキングを行う。
【００８０】
映像シーンＡ６は、映像シーンＡ５から画面が切り替わった場合であり、マーキングマスク時間以上経過している映像シーンである。映像シーンＡ６のとき、検出点ａ４において、音量及び明るさが所定レベルＸ１、Ｙ１よりも大きいため、制御部２３は、マーキング条件を満たしていると判断し、映像及び音声を記録部１５にて記録するとともに、記録部１５にて検出点ａ４の位置を再生時に再生部１７が検出できるようにマーキングを行う。
【００８１】
この記録した映像及び音声をマーキングシーン再生モードにて再生する場合、再生部１７は、順次マーキングした位置（点ａ１〜点ａ４）を検出し、各点ａ１〜点ａ４から第１所定時間分の映像信号及び音声信号を信号処理回路１３に送ることで、モニタ部５にて順次マーキングした位置（点ａ１〜点ａ４）から第１所定時間映像及び音声が再生される。つまり、点ａ１から第１所定時間再生したら、次の点ａ２から第１所定時間再生するといった動作を繰り返す。このようにマーキングされることによって、ハイライトシーンのみを見ることができる。
【００８２】
また、マーキングシーン再生モードにてハイライトシーンのみを見ている際に、入力部２５においてモードを切り替える操作を行うことにより、マーキングシーン再生モードから通常再生モードに切り替えることができるので、ユーザの望む映像シーンをより適切に再生することができる。
【００８３】
図５は、入力部２５（図１）において「ニュース」の映像のジャンルを指定した場合の記録（録画及び録音）時のマーキング処理の説明図である。（ａ）は、記録（録画及び録音）する映像である。（ｂ）は、音声信号の信号レベルの変化量（音量変化）である。（ｃ）は、映像信号の明るさレベルの変化量（明暗差）である。
【００８４】
「ニュース」の映像のジャンルには、所定のサンプリング周期で音声信号の音声レベルをサンプリングしたときの音声レベルの変化量（音量変化）が所定音声レベル変化量Ｘ２よりも大きい場合、及び所定のサンプリング周期で映像信号の明るさレベルをサンプリングしたときの明るさレベルの変化量（明暗差）が所定明るさレベル変化量Ｙ２よりも大きい場合にマーキングするマーキング条件が対応している。さらに、「ニュース」の映像のジャンルには、マーキングをしてからマーキングマスク時間よりも長い第２所定時間Ｔ２に達した場合、自動的にマーキングするマーキング条件が対応している。
【００８５】
映像シーンＢ１のときは、音量変化及び明暗差が所定レベル変化量Ｘ２、Ｙ２を超えていないため、記録部１５は、映像及び音声を記録しているが、マーキングは行わない。
【００８６】
映像シーンＢ２のときは、検出点ｂ１において、音量変化及び明暗差が所定レベル変化量Ｘ２、Ｙ２よりも大きいため、制御部２３は、マーキング条件を満たしていると判断し、映像及び音声を記録部１５にて記録するとともに、記録部１５にて検出点ｂ１の位置を再生時に再生部１７が検出できるようにマーキングを行う。
【００８７】
映像シーンＢ３のとき、音量変化及び明暗差が所定レベル変化量Ｘ２、Ｙ２を超えていないため、マーキングされないが、検出点ｂ１にてマーキングをしてからマーキングマスク時間よりも長い第２所定時間Ｔ２に達した検出点ｂ２において、記録部１５にて検出点ｂ２の位置を再生時に再生部１７が検出できるようにマーキングを行う。これによって、例えば長時間録画をした場合にハイライトシーン（つまり、マーキング点）がほとんどないような場合を防止することができる。また、ニュースのようにほぼ決まった時間間隔で次のニュース項目に移行するような場合であれば、ほぼニュース項目ごとにマーキングされるので、ほぼ一定時間間隔で映像が切り替わるような場合に第２所定時間ごとにマーキングするマーキング条件を指定すれば、より効果的にハイライトシーンにマーキングすることができる。
【００８８】
映像シーンＢ４のとき、検出点ｃ１において、明暗差が所定レベル変化量Ｙ２よりも大きいが、音量変化が所定レベル変化量Ｘ２を超えていないため、記録部１５は、映像及び音声を記録しているが、マーキングは行わない。
【００８９】
同様に、映像シーンＢ５のとき、検出点ｃ２において、明暗差が所定レベル変化量Ｙ２よりも大きいが、音量変化が所定レベル変化量Ｘ２を超えていないため、記録部１５は、映像及び音声を記録しているが、マーキングは行わない。
【００９０】
図６は、入力部２５（図１）において「動きの激しい映画やドラマ」の映像のジャンルを指定した場合の記録（録画及び録音）時のマーキング処理の説明図である。（ａ）は、記録（録画及び録音）する映像である。（ｂ）は、音声信号の信号レベル（音量）である。（ｃ）は、映像信号の明るさレベル（明るさ）である。（ｄ）は、映像信号の明るさレベルの変化量（明暗差）である。
【００９１】
「動きの激しい映画やドラマ」の映像のジャンルには、音声レベル検出部１９にて検出された音声信号の音声レベルが第１所定音声レベルＸ３よりも大きい場合、又は所定のサンプリング周期で映像信号の明るさレベルをサンプリングしたときの明るさレベルの変化量（明暗差）が所定明るさレベル変化量Ｙ３よりも大きい場合にマーキングするマーキング条件が対応している。
【００９２】
映像シーンＤ１のときは、音量及び明暗差が第１所定音声レベルＸ３及び所定明るさレベル変化量Ｙ３を超えていないため、記録部１５は、映像及び音声を記録しているが、マーキングは行わない。
【００９３】
映像シーンＤ２のときは、検出点ｄ１において明暗差はほとんどないが、音量が第１所定音声レベルＸ３よりも大きいため、制御部２３は、マーキング条件を満たしていると判断し、映像及び音声を記録部１５にて記録するとともに、記録部１５にて検出点ｄ１の位置を再生時に再生部１７が検出できるようにマーキングを行う。
【００９４】
映像シーンＤ３は、検出点ｄ１からマーキングマスク時間以上経過している映像シーンである。映像シーンＤ３のときは、検出点ｄ２において音量は第１所定音声レベルＸ３を超えていないが、明暗差が所定明るさレベル変化量Ｙ３よりも大きいため、制御部２３は、マーキング条件を満たしていると判断し、映像及び音声を記録部１５にて記録するとともに、記録部１５にて検出点ｄ２の位置を再生時に再生部１７が検出できるようにマーキングを行う。
【００９５】
映像シーンＤ４は、検出点ｄ２からマーキングマスク時間以上経過している映像シーンである。映像シーンＤ４のときは、検出点ｄ３において明暗差はほとんどないが、音量が第１所定音声レベルＸ３よりも大きいため、制御部２３は、マーキング条件を満たしていると判断し、映像及び音声を記録部１５にて記録するとともに、記録部１５にて検出点ｄ３の位置を再生時に再生部１７が検出できるようにマーキングを行う。
【００９６】
映像シーンＤ５は、検出点ｄ３からマーキングマスク時間以上経過している映像シーンである。映像シーンＤ５のときは、検出点ｄ４において明暗差はほとんどないが、音量が第１所定音声レベルＸ３よりも大きいため、制御部２３は、マーキング条件を満たしていると判断し、映像及び音声を記録部１５にて記録するとともに、記録部１５にて検出点ｄ４の位置を再生時に再生部１７が検出できるようにマーキングを行う。
【００９７】
映像シーンＤ６のときは、音量及び明暗差が第１所定音声レベルＸ３及び所定明るさレベル変化量Ｙ３を超えていないため、記録部１５は、映像及び音声を記録しているが、マーキングは行わない。
【００９８】
映像シーンＤ７のときは、検出点ｄ５において音量は第１所定音声レベルＸ３を超えていないが、明暗差が所定明るさレベル変化量Ｙ３よりも大きいため、制御部２３は、マーキング条件を満たしていると判断し、映像及び音声を記録部１５にて記録するとともに、記録部１５にて検出点ｄ５の位置を再生時に再生部１７が検出できるようにマーキングを行う。
【００９９】
本実施の形態において、記録したマーキングを消去し、マーキング条件を指定し、再生している映像信号及び／又は音声信号を検出し、検出結果がマーキング条件を満たす場合に、再生の位置をマーキングすることが可能である。
【０１００】
具体的に、再生部１７には、記録したマーキングを消去する機能が備えられている。つまり、再生部１７は、制御部２３の制御の下、記録媒体３１に記録したマーキングを消去する。
【０１０１】
そして、再生部１７により再生された映像信号及び音声信号は信号処理回路１３に送られる。信号処理回路１３に送られた音声信号は音声レベル検出部１９により検出され、映像信号は明るさレベル検出部２１により検出されて、制御部２３は、記録（録音及び録画）時と同様の処理を行う。
【０１０２】
このように、一度記録した再生位置を示すマーキングを消去して、消去する前にマーキングを行った場合のマーキング条件とは異なるマーキング条件にて再びマーキングをすることができるので、ユーザが望む映像のハイライトシーンにより適切に再生の位置をマーキングすることができる。尚、この場合の再生は、通常の再生よりも早い高速再生であるのが好ましい。また、この高速再生時は、モニタ部５への映像信号及び音声信号の出力を停止しても良い。
【０１０３】
また、映像信号及び音声信号が記録（録音及び録画）された記録媒体３１にマーキングが行われていない場合には、マーキング条件を指定し、再生している映像信号及び／又は音声信号を検出し、検出結果がマーキング条件を満たす場合に、再生の位置をマーキングすることが可能である。
【０１０４】
具体的に、再生部１７により再生された映像信号及び音声信号は信号処理回路１３に送られる。信号処理回路１３に送られた音声信号は音声レベル検出部１９により検出され、映像信号は明るさレベル検出部２１により検出されて、制御部２３は、記録（録音及び録画）時と同様の処理を行う。
【０１０５】
このように、記録時においてマーキングされていない場合においても、再生時にマーキングが行えるので、ユーザが望む映像のハイライトシーンにより適切に再生の位置をマーキングすることができる。尚、この場合の再生は、通常の再生よりも早い高速再生であるのが好ましい。また、この高速再生時は、モニタ部５への映像信号及び音声信号の出力を停止しても良い。
【０１０６】
また、本実施の形態では、データベース部２９が書き換え可能な不揮発性メモリであるＥＥＰＲＯＭ３０に格納されていることから、マーキング条件を書き換えることが可能である。マーキング条件を書き換える場合、制御部２３の制御の下、入力部２５の操作により書き換えることが可能である。これによって、ユーザが望む映像のハイライトシーンにより適切に再生の位置をマーキングすることができる。
【０１０７】
以上、本実施の形態によれば、映像信号の明るさレベルのマーキング条件、及び／又は音声信号の音声レベルのマーキング条件を入力部２５にて指定し、検出部１９、２１の検出結果が指定されたマーキング条件を満たす場合に、再生の位置をマーキングするように制御部２３が制御することから、映像信号の明るさレベルのマーキング条件のみの場合と比較して、ユーザが望む映像のハイライトシーンに適切に再生の位置をマーキングすることができる。
【０１０８】
また、本実施の形態のよれば、マーキングされた記録媒体３１の信号を再生するに当たって、再生部１７が、記録媒体３１に記録されたマーキング点から画像信号及び音声信号を第１所定時間再生した後、次のマーキング点から第１所定時間再生する処理を繰り返すことで、長時間記録された映像のハイライトシーンのみ再生して見ることができ、ハイライトシーンの検索が容易となる。
【０１０９】
また、本実施の形態によれば、マーキング条件を入力部２５により指定することができるので、ユーザが望むマーキング条件を指定することができるので、ユーザが望む映像のハイライトシーンにより適切に再生の位置をマーキングすることができる。
【０１１０】
また、本実施の形態によれば、映像のジャンルに対応したマーキング条件を記憶したデータベース部２９を備えたことから、映像のジャンルを指定するだけで制御部２３によりマーキング条件が設定されるので、ユーザが望む映像のハイライトシーンにより適切に再生の位置をマーキングすることができる。
【０１１１】
以上の説明においては、制御プログラムがあらかじめＲＯＭに格納されている場合であったが、ハードディスク、リムーバブル記録媒体、ＩＣカードにあらかじめ制御プログラムを格納しておいて読み込んだり、インターネットなどのネットワークを介してダウンロードして制御プログラムを実行するように構成することも可能である。
【０１１２】
また、以上の説明においては、データベース部を使用して映像のジャンルを指定するようにしたが、これに限るものではなく、例えば、入力部で映像信号の明るさレベルの大小、及び／又は音声信号の音声レベルの大小を個別に指定するようにしてもよい。この場合、データベース部は省略可能である。
【０１１３】
また、以上の説明においては、記録及び再生が可能な記録再生装置について説明したが、記録が可能な記録装置についても適用できることは言うまでもない。
【０１１４】
【発明の効果】
本発明によれば、ユーザが望む映像のハイライトシーンに適切に再生の位置をマーキングすることができる。
【図面の簡単な説明】
【図１】本発明に係る記録再生装置の一実施の形態を示すブロック図である。
【図２】データベース部に記憶されているマーキング条件である。
【図３】制御部の録画時におけるマーキング処理の制御動作を示すフローチャートである。
【図４】録画及び録音時のマーキング処理の説明図であり、（ａ）は、録画及び録音する映像を示す図であり、（ｂ）は、音声信号の信号レベル（音量）を示す図であり、（ｃ）は、映像信号の明るさレベル（明るさ）を示す図である。
【図５】録画及び録音時のマーキング処理の説明図であり、（ａ）は、録画及び録音する映像を示す図であり、（ｂ）は、音声信号の信号レベルの変化量（音量変化）を示す図であり、（ｃ）は、映像信号の明るさレベルの変化量（明暗差）を示す図である。
【図６】録画及び録音時のマーキング処理の説明図であり、（ａ）は、録画及び録音する映像を示す図であり、（ｂ）は、音声信号の信号レベル（音量）を示す図であり、（ｃ）は、映像信号の明るさレベル（明るさ）を示す図であり、（ｄ）は、映像信号の明るさレベルの変化量（明暗差）を示す図である。
【符号の説明】
１　記録再生装置
１５　記録部
１７　再生部
１９　音声レベル検出部
２１　明るさレベル検出部
２３　制御部
２５　入力部
２７　マーキング設定部
２９　データベース部
【図１】
2004120553.tif 000003
【図２】
2004120553.tif 000004
【図３】
2004120553.tif 000005
【図４】
2004120553.tif 000006
【図５】
2004120553.tif 000007
【図６】
2004120553.tif 000008